(57)【特許請求の範囲】
【請求項１】
ケース１に定形内容物を収容する複数の収容室２と各収容室２に通じる取出室３とを設け、該取出室３には、各収容室別に各々の収容室２から定形内容物を１個あて導入する適数の小部屋４を形成し、これらの小部屋４の一面に、拡開弾性変形可能な狭窄口の取出口５を設けるとともに、他面に、各小部屋４内の定形内容物をその取出口５へ向けて押し出しする押釦６を装備させたことを特徴とする定形内容物の計数取出容器。
【請求項２】
扁平なケース１に、一端部を残して等量乃至整数倍量の関係で定形内容物を収容する複数の収容室２を設けるとともに、その一端部に各収容室２に通じる取出室３を設け、該取出室３には、各収容室別に各々の収容室２から定形内容物を１個あて導入する適数の小部屋４を形成し、これらの小部屋４の一面に窓孔７を開孔させて、該窓孔７には、各小部屋４に対応する拡開弾性変形可能な狭窄口の取出口５を設け、かつ、各小部屋４の他面に各小部屋４内の定形内容物を取出口５へ向けて押し出しする押釦６を装備させ、上記窓孔７に蓋板８を開閉自在に装着したことを特徴とする定形内容物の計数取出容器。
【請求項３】
扁平なケース１に、一端部を残して、定形内容物を収容する１倍量収容室２１と２倍量収容室２２との２つの収容室２を設けるとともに、その一端部に各収容室２に通じる取出室３を設け、該取出室３には、各収容室別に各々の収容室２から定形内容物を１個あて導入する適数の小部屋４を形成し、これらの小部屋４の一面に窓孔７を開孔させて、該窓孔７の内側に弾性板材から成る口部材９を装着し、該口部材９には、各小部屋４に対応する拡開弾性変形可能な狭窄口１０を設けて取出口５を形成し、かつ、各小部屋４の他面に各小部屋４内の定形内容物をその取出口５へ向けて押し出しする押釦６をケース１と一体的に形成して装備させ、上記窓孔７に蓋板８を開閉自在に枢着したことを特徴とする定形内容物の計数取出容器。
【発明の詳細な説明】
【０００１】
【発明の属する技術分野】
本発明は、定形内容物の計数取出容器に関するものである。
ここに、定形内容物とは、錠剤、カプセル等をいう。
【０００２】
【従来の技術】
錠剤等を収容して、任意に取り出し得るようにした容器は、既に知られているが（実開平５‐５８６７５  号公報、実開平５‐５８６７６  号公報等）、異種の錠剤等を個別に収容してそれぞれを計数して取り出し得るようにしたものについては、未だ、適当なものが開発されていない。
【０００３】
【発明が解決しようとする課題】
そこで、本発明は、簡単な操作で、収容した異種の錠剤等を適宜に計数して取り出し得るようにした便利な計数取出容器を提供しようとするものである。
【０００４】
【課題を解決するための手段】
かかる目的達成のため、請求項１の発明は、ケース１に定形内容物を収容する複数の収容室２と各収容室２に通じる取出室３とを設け、該取出室３には、各収容室別に各々の収容室２から定形内容物を１個あて導入する適数の小部屋４を形成し、これらの小部屋４の一面に、拡開弾性変形可能な狭窄口の取出口５を設けるとともに、他面に、各小部屋４内の定形内容物をその取出口５へ向けて押し出しする押釦６を装備させて成る。
【０００５】
請求項２の発明は、扁平なケース１に、一端部を残して等量乃至整数倍量の関係で定形内容物を収容する複数の収容室２を設けるとともに、その一端部に各収容室２に通じる取出室３を設け、該取出室３には、各収容室別に各々の収容室２から定形内容物を１個あて導入する適数の小部屋４を形成し、これらの小部屋４の一面に窓孔７を開孔させて、該窓孔７には、各小部屋４に対応する拡開弾性変形可能な狭窄口の取出口５を設け、かつ、各小部屋４の他面に各小部屋４内の定形内容物を取出口５へ向けて押し出しする押釦６を装備させ、上記窓孔７に蓋板８を開閉自在に装着して成る。
【０００６】
また、請求項３の発明は、扁平なケース１に、一端部を残して、定形内容物を収容する１倍量収容室２ａと２倍量収容室２ｂとの２つの収容室２を設けるとともに、その一端部に各収容室２に通じる取出室３を設け、該取出室３には、各収容室別に各々の収容室２から定形内容物を１個あて導入する適数の小部屋４を形成し、これらの小部屋４の一面に窓孔７を開孔させて、該窓孔７の内側に弾性板材から成る口部材９を装着し、該口部材９には、各小部屋４に対応する拡開弾性変形可能な狭窄口１０を設けて取出口５を形成し、かつ、各小部屋４の他面に各小部屋４内の定形内容物をその取出口５へ向けて押し出しする押釦６をケース１と一体的に形成して装備させ、上記窓孔７に蓋板８を開閉自在に枢着して成る。
【０００７】
【発明の実施の形態】
図面は、請求項１乃至請求項３の発明に係る実施の形態を示している。
図示のものは、定形内容物として、Ａ剤とＢ剤との２種の錠剤を収容する合成樹脂製のものであり、ケース本体１ａとカバー１ｂとを嵌合させて形成した平面形状長方形で扁平なケース１を設け、該ケース１内には、一端部を残して、ケース本体１ａに仕切板１１，１２を適宜に形成することで、Ａ剤を収容する１倍量収容室２ａと、Ｂ剤を収容する２倍量収容室２ｂとの２つの収容室２を設けるとともに、その一端部に、各収容室２に通じる取出室３を設けている。
取出室３には、各収容室別に各々の収容室２から錠剤を１個あて導入する２個の小部屋４を形成し、これらの小部屋４の一面たるケース本体１ａの一端部に窓枠１３を一体に突設して形成した各小部屋共通の１つの窓孔７を開孔させ、該窓孔７には、その窓枠１３に、図４に示す、中間部に小部屋間仕切壁２０を起立した弾性板材から成る口部材９を嵌合させて装着し、該口部材９には、口縁を三角波状に形成した各小部屋４に対応する拡開弾性変形可能な狭窄口１０を設けて取出口５を形成し、かつ、各小部屋４の他面たるカバー１ｂの側に各小部屋４内の錠剤をその取出口５へ向けて押し出しする押釦６をケース１と一体的に形成して装備させ、上記窓孔７に蓋板８を開閉自在に枢着１９している。
押釦６は、取出室３に対応するカバー１ｂの一端部を一段窪ませ、該窪み部１４において、各小部屋４に対応させて弾性変形可能な薄肉の押釦６を一体に膨出させ、かつ、各押釦６の内面に、各小部屋４内の錠剤を取出口５へ向けて押し出しする押圧小筒６ａと、各小部屋４に入った錠剤を定位置に規制する錠剤規制棒１５とを、それぞれ適所で一体に垂設している。
蓋体８は、基端にボス１６を設け、該ボスをケース本体１ａの適所に枢着１９し、先端に係合片１７を設けて、該係合片を上記窓枠１３の適所に設けた係止突条１８に着脱自在に係合させている。なお、枢着１９を薄肉ヒンジ等にしてもよい。
【０００８】
如上の構成であるから、その使用に当たっては、２つの収容室２の内、１倍量収容室２ａにＡ剤を、また、２倍量収容室２ｂにＢ剤を収容する。
これらの錠剤を取り出すときは、まず、取出室３を下にしてケース１を傾け、蓋板８を開放させる。これに伴い、１倍量収容室２ａのＡ剤と２倍量収容室２ｂのＢ剤とがそれぞれ取出室３の各小部屋４に入り込み、押釦６の錠剤規制棒１５に突き当たって所定位置に止められる。
次に、この態勢で、図３に示すように、各押釦６を押せば、各押釦６の押圧小筒６ａで各小部屋４内のＡ剤、Ｂ剤が押圧されて、拡開弾性変形可能な狭窄口１０から成る取出口５が押し開かれ、Ａ剤、Ｂ剤は外部へと押し出される。
このようにして、各押釦６を押せば、その都度、Ａ剤とＢ剤とを任意に取り出すことができるが、１倍量収容室２ａと２倍量収容室２ｂとに、それぞれ所定量のＡ剤とＢ剤とを収容することにより、２倍量収容室２ｂ側の押釦６の押圧操作回数を１倍量収容室２ａ側の押釦６の押圧操作回数の２倍とすることで、Ａ剤とＢ剤との全数をそれぞれ１対２の割合で取り出すことができる。
取り出し後は、再び蓋板８を閉じればよい。
なお、錠剤に代えてカプセル等を収容してもよい。収容室２は、２個以上としてもよく、その場合は、小部屋４及び取出口５をそれらの収容室に対してそれぞれ設ければよい。また、このようにして設けた複数の収容室２の収容量を等量乃至適宜整数倍量としてもよい。
【０００９】
【発明の効果】
請求項１、請求項２及び請求項３の発明によれば、記述構成であるから、各収容室２に異種の定形収容物を収容することにより、各押釦６を適宜に押圧して、それぞれ計数取り出しでき、そして、その操作取扱いは簡単であり、頗る便利重宝である。
加えて、請求項２の発明によれば、複数の収容室２の収容量を等量乃至整数倍量にしているので、それらの収容室２に収容した異種の定形内容物の全数をその収容量に見合った割合で取り出すことができ、かつ、取出口５を設けた窓孔７に蓋板８を開閉自在に装着しているので、閉蓋により定形内容物の不意の落下を防止でき、塵埃の侵入を防止できる。
また、請求項３の発明によれば、収容室２として１倍量収容室２ａと２倍量収容室２ｂとの２つの収容室２を設けているので、それらの収容室２に収容した異種の定形内容物の全数を１対２の割合で取り出すことができ、更に、取出口５を設けた窓孔７に蓋板８を開閉自在に枢着しているので、閉蓋により定形内容物の不意の落下を防止でき、塵埃の侵入を防止でき、かつ、その開閉操作をスムーズなものにできる。その上、取出口５を弾性板材から成る口部材９に狭窄口１０を設て形成しているので、ケース１の材質とは直接関係なく十分な弾性変形を確保でき、適切な取出口５を設けることができる。
【図面の簡単な説明】
【図１】請求項１、請求項２及び請求項３の発明に係る実施の形態を示す斜視図である。
【図２】同実施の形態を示す一部截断側面図である。
【図３】同実施の形態の使用状態を示す一部截断側面である。
【図４】同実施の形態の要部部材の斜視図である。
【図５】同実施の形態のカバーを外した状態の分解斜視図である。
【符号の説明】
１…ケース                      １ａ…ケース本体
１ｂ…カバー
２…収容室                      ２ａ…１倍倍量収容室
２ｂ…２倍量収容室
３…取出室                      ４…小部屋
５…取出口
６…押釦                        ６ａ…押圧小筒
７…窓孔                        ８…蓋板
９…口部材                      １０…狭窄口
１１，１２…仕切板                  １３…窓枠
１４…窪み部                      １５…錠剤規制棒
１６…ボス                        １７…係合片
１８…係止突条                    １９…枢着
２０…小部屋間仕切壁
【図１】
0003556369.tif 000002
【図２】
0003556369.tif 000003
【図３】
0003556369.tif 000004
【図４】
0003556369.tif 000005
【図５】
0003556369.tif 000006